(57)【要約】【課題】携帯端末機器等の機器の充電制限機能によってバッテリへの充電が制限されていることを利用者に知らせることのできる「給電装置」を提供することである。【解決手段】充電可能なバッテリを備え、所定の状況に応じて前記バッテリに対する充電を制限する充電制限機能を有する機器３０に対して前記バッテリ充電のための給電を行う給電装置であって、機器３０に対する給電状態に基づいて前記機器が前記充電制限機能により前記バッテリに対する充電が制限された状態であるか否かを判定する充電制限状態判定手段（Ｓ１３〜Ｓ１９）と、該充電制限状態判定手段により前記機器が前記充電制限機能により前記バッテリに対する充電が制限された状態であると判定されたときに、所定の報知情報を出力する報知情報出力手段（Ｓ２０、１３）とを有する構成となる。【選択図】図２Ａ
2014143837.tif 000002
【特許請求の範囲】
【請求項１】
充電可能なバッテリを備え、所定の状況に応じて前記バッテリに対する充電を制限する充電制限機能を有する機器に対して前記バッテリ充電のための給電を行う給電装置であって、
前記機器に対する給電状態に基づいて前記機器が前記充電制限機能により前記バッテリに対する充電が制限された状態であるか否かを判定する充電制限状態判定手段と、
該充電制限状態判定手段により前記機器が前記充電制限機能により前記バッテリに対する充電が制限された状態であると判定されたときに、所定の報知情報を出力する報知情報出力手段とを有する給電装置。
【請求項２】
前記充電制限状態判定手段は、前記機器に対する給電量の低下の急激度合が所定の度合いより大きく、前記低下後の給電状態が所定時間維持されたときに、前記機器が前記充電制限機能により前記バッテリに対する充電が制限された状態であると判定する請求項１記載の給電装置。
【請求項３】
前記機器に対して供給する電流を検出する電流検出手段を有し、
前記充電状態判定手段は、前記電流検出手段での検出電流値の低下の急激度合が所定の度合いより大きいときに、前記機器に対する給電量の低下の急激度合が所定の度合いより大きいと判定する請求項２記載の給電装置。
【請求項４】
前記報知情報出力手段は、表示部と、前記所定の報知情報としての画像情報を前記表示部に表示させる表示制御手段とを有する請求項１乃至３のいずれかに記載の給電装置。
【請求項５】
前記報知情報出力手段は、前記所定の報知情報としての信号を前記機器に送信する信号送信手段を有する請求項１乃至４のいずれかに記載の給電装置。
【請求項６】
充電可能なバッテリを備え、所定の環境条件に応じて前記バッテリに対する充電を制限する充電制限機能を有する携帯端末が接続され、当該携帯端末と情報交換を行うとともに、該端末に対してバッテリ充電のための給電を行う給電装置を有する車載機器であって、
前記給電装置は、
前記携帯端末に対する給電状態に応じて前記携帯端末が前記充電制限機能により前記バッテリに対する充電が制限された状態であるか否かを判定する充電制限状態判定手段と、
該充電制限状態判定手段により前記携帯端末が前記充電制限機能により前記バッテリに対する充電が制限された状態であると判定されたときに、所定の報知情報を出力する報知情報出力手段とを有する車載装置。
【発明の詳細な説明】
【技術分野】
【０００１】
本発明は、充電可能なバッテリを備え、温度状況や動作状況等の所定の状況に応じて前記バッテリに対する充電を制限する充電制限機能を有する機器に対して前記バッテリ充電のための給電を行う給電装置、及び、該給電装置を有する車載機器に関する。
【背景技術】
【０００２】
充電可能なバッテリを備えた携帯電話器やスマートフォン等の携帯端末機器において、アプリケーションの動作状況や温度状況等に応じて、前記バッテリに対する充電を制限することが提案されている（特許文献１参照）。このようなバッテリに対する充電制限機能を備えた携帯端末機器では、動作するアプリケーションの数が多く、ＣＰＵ等の電子素子（チップ）の発熱量が多くなって機器の温度が高い状況になると、バッテリに対する充電が制限されて高温環境下での充電が抑制される。これにより、バッテリの劣化を遅らせることができる。
【０００３】
また、前述したような携帯端末機器をパーソナルコンピュータや車載機器に接続して利用することが提案されている。この場合、パーソナルコンピュータや車載機器は、携帯端末機器と情報交換を行って、当該携帯端末機器を制御したり、当該携帯端末機器にて得られた情報を利用したりすることができる。また、パーソナルコンピュータや車載機器が携帯端末機器との前記情報交換を行う際に、パーソナルコンピュータや車載機器に設けられた給電装置から当該携帯端末機器のバッテリ充電のための給電を行うようにすれば、バッテリの蓄電量不足によって携帯端末機器での処理が滞ることを防止することができる。
【先行技術文献】
【特許文献】
【０００４】
【特許文献１】特開２００７−２８１９１１号公報
【発明の概要】
【発明が解決しようとする課題】
【０００５】
ところで、外部の給電装置（パーソナルコンピュータや車載機器に設けられた）から携帯端末機器のバッテリ充電のために給電がなされている際に、携帯端末機器の充電制限機能によってバッテリに対する充電が制限されると、給電装置が接続されているにも係らず、携帯端末機器での処理によってバッテリの蓄電量が徐々に低下する。しかしながら、パーソナルコンピュータや車載機器に関心のある利用者は、携帯端末機器のバッテリの状態に気が付き難い。利用者がそのまま気が付かないと、給電装置が接続されているにも関わらず、携帯端末機器のバッテリの充電量が不足してしまうという事態が起こり得る。
【０００６】
例えば、携帯端末機器を車載機器に接続して使用する場合、車室内の気温によって携帯端末機器の温度が上昇し、その温度状況に応じて携帯端末機器のバッテリの充電が制限されてしまうと、利用者が、目的地に到着して、携帯端末機器を単独で利用する際に、バッテリの蓄電量が低下した状態になっている可能性がある。
【０００７】
本発明は、このような事情に鑑みてなされたもので、携帯端末機器等の機器の充電制限機能によってバッテリへの充電が制限されていることを利用者に知らせることのできる給電装置及び車載機器を提供するものである。
【課題を解決するための手段】
【０００８】
本発明に係る給電装置は、充電可能なバッテリを備え、所定の状況に応じて前記バッテリに対する充電を制限する充電制限機能を有する機器に対して前記バッテリ充電のための給電を行う給電装置であって、前記機器に対する給電状態に基づいて前記機器が前記充電制限機能により前記バッテリに対する充電が制限された状態であるか否かを判定する充電制限状態判定手段と、該充電制限状態判定手段により前記機器が前記充電制限機能により前記バッテリに対する充電が制限された状態であると判定されたときに、所定の報知情報を出力する報知情報出力手段とを有する構成となる。
【０００９】
このような構成により、給電装置が機器に対してバッテリ充電のための給電を行う際に、その給電状態に基づいて前記機器が充電制限機能によりバッテリに対する充電が制限された状態であると判定されると、所定の報知情報が出力される。
【００１０】
本発明に係る給電装置において、前記充電制限状態判定手段は、前記機器に対する給電量の低下の急激度合が所定の度合いより大きく、前記低下後の給電状態が所定時間維持されたときに、前記機器が前記充電制限機能により前記バッテリに対する充電が制限された状態であると判定する構成とすることができる。
【００１１】
このような構成により、機器に対する給電量の低下の急激度合が所定の度合いより大きく、その低下後の給電状態が所定時間維持されたときに、機器が充電制限機能によりバッテリに対する充電が制限された状態であると判定されるので、バッテリが満充電に近づくに従って機器に対する給電量が低下する状況や、瞬時的な温度上昇や瞬時的な処理負荷の上昇等に起因して瞬時的に給電量が低下する状況と明確に区別して、機器において充電制限機能によりバッテリへの充電が制限されたことを判定することができる。
【００１２】
また、本発明に係る給電装置において、前記機器に対して供給する電流を検出する電流検出手段を有し、前記充電状態判定手段は、前記電流検出手段での検出電流値の低下の急激度合が所定の度合いより大きいときに、前記機器に対する給電量の低下の急激度合が所定の度合いより大きいと判定する構成とすることができる。
【００１３】
このような構成により、機器に対して供給される電流についての検出電流値の低下の急激度合が所定の度合いより大きく、その低下後の供給電流の状態が所定時間維持されたときに、機器が充電制限機能により前記バッテリに対する充電が制限された状態であると判定される。
【００１４】
また、本発明に係る給電装置において、前記報知情報出力手段は、表示部と、前記所定の報知情報としての画像情報を前記表示部に表示させる表示制御手段とを有する構成とすることができる。
【００１５】
このような構成により、表示部に表示される画像情報から、機器が充電制限機能によりバッテリに対する充電が制限された状態であることを知ることができる。
【００１６】
本発明に係る車載機器は、充電可能なバッテリを備え、所定の環境条件に応じて前記バッテリに対する充電を制限する充電制限機能を有する携帯端末が接続され、当該携帯端末と情報交換を行うとともに、該端末に対してバッテリ充電のための給電を行う給電装置を有する車載機器であって、前記給電装置は、前記携帯端末に対する給電状態に応じて前記携帯端末が前記充電制限機能により前記バッテリに対する充電が制限された状態であるか否かを判定する充電制限状態判定手段と、該充電制限状態判定手段により前記携帯端末が前記充電制限機能により前記バッテリに対する充電が制限された状態であると判定されたときに、所定の報知情報を出力する報知情報出力手段とを有する構成となる。
【発明の効果】
【００１７】
本発明に係る給電装置及び車載機器によれば、機器に対してバッテリ充電のための給電がなされる際に、その給電状態に基づいて前記機器が充電制限機能によりバッテリに対する充電が制限された状態であると判定されると、所定の報知情報が出力されるので、その報知情報により、携帯端末機器等の機器の充電制限機能によってバッテリへの充電が制限されていることを利用者に知らせることができる。
【図面の簡単な説明】
【００１８】
【図１】本発明の実施の形態に係る給電装置を備えた車載機器を示すブロック図である。
【図２Ａ】車載機器からスマートフォン（携帯端末機器）に給電がなされる際の車載機器側での処理の流れ（その１）を示すフローチャートである。
【図２Ｂ】車載機器からスマートフォン（携帯端末機器）に給電がなされる際の車載機器側での処理の流れ（その２）を示すフローチャートである。
【図３】車載機器のスマートフォンに対する給電特性（その１）を示す図である。
【図４】車載機器のスマートフォンに対する給電特性（その２）を示す図である。
【図５】車載機器のスマートフォンに対する給電特性（その３）を示す図である。
【図６】スマートフォンでバッテリの充電が制限された際に、車載機器の表示部に表示されるメッセージの一例を示す図である。
【発明を実施するための形態】
【００１９】
本発明の実施の一形態について図面を用いて説明する。
【００２０】
本発明の実施の一形態に係る給電装置を有する車載機器は、図１に示すように構成される。
【００２１】
図１において、車載機器１００は、外部機器接続用のコネクタ１９を有している。車載機器１００のコネクタ１９には、スマートフォン３０（携帯端末機器）がケーブルを介して接続可能である。車載機器１００は、コンピュータユニット（ＣＰＵを含む）によって構成される処理ユニット１１を有している。処理ユニット１１には、各種音源及び映像源（例えば、ＣＤ、ＤＶＤ等）の再生処理を行うＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に供給され、スピーカ１６からその音声信号に基づいた音が出力される。また、車載機器１００は、記憶部１４（ハードディスクユニット等）を有し、記憶部１４には、ＡＶユニット１７及びナビゲーションユニット１８にて利用される楽曲情報や地図情報等の各種情報が記憶されている。処理ユニット１１は、記憶部１４に記憶された各種情報にアクセスすることができる。
【００２２】
また、処理ユニット１１には、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。処理ユニット１１は、操作部１２での操作に基づいて処理を実行するとともに、処理の過程で得られた情報等を表示部１３に表示させることができる。
【００２３】
スマートフォン３０は、充電可能なバッテリを備え、例えば、内部温度が所定温度を越えている温度状況や、所定数以上のアプリケーションが並列的に実行される動作状況等で前記バッテリに対する充電を制限する充電制限機能を有している。このスマートフォン３０が接続されるコネクタ１９は、車載機器１００の処理ユニット１１に接続されており、コネクタ１９を介して処理ユニット１１とスマートフォン３０とが通信によって相互に情報交換することが可能である。また、車載機器１００は、給電回路２１と、電流検出器２２（電流検出手段）とを備えている。給電回路２１は、車両に搭載されたバッテリ２４に接続されており、制御ユニット１１の制御のもと、この車載のバッテリ２４の電気を利用して、電流検出器２２及びコネクタ１９を介してスマートフォン３０に対してバッテリ充電のための給電を行う。処理ユニット１１は、電流検出器２２での検出電流値を監視している。
【００２４】
なお、給電回路２１、電流検出器２２、バッテリ２４及び処理ユニット１１の機能によって本願発明に係る給電装置が構成される。
【００２５】
処理ユニット１１は、スマートフォン３０のバッテリ充電のための給電を行う際に、図２Ａ及び図２Ｂに示す手順に従って、処理を実行する。
【００２６】
図２Ａにおいて、処理ユニット１１は、コネクタ１９へのスマートフォン３０の接続を確認すると（Ｓ１１でＹＥＳ）、給電回路２１にスマートフォン３０のバッテリ充電のための給電を開始させる（Ｓ１２）。これにより、給電回路２１が、バッテリ２４の電気を利用して電流検出器２２及びコネクタ１９を介してスマートフォン３０対する給電を開始する。その後、処理ユニット１１は、電流検出器２２での検出電流値Ｉｉを取得し（Ｓ１３）、後述するタイマＴがゼロであるか否か、即ち、タイマＴがスタートしているか否かを判定する（Ｓ１４）。タイマＴがスタートしておらず、ゼロであると（Ｓ１４でＹＥＳ）、処理ユニット１１は、今回取得した検出電流値Ｉｉと前回取得した検出電流値Ｉｉ−１とを用いて、その検出電流値の低下する変化の割合（（Ｉｉ−Ｉｉ−１）／Ｉｉ−１）が所定の基準値Ａ％（例えば、５０％）より大きいか否かを判定する（Ｓ１５）。この検出電流値の低下する変化の割合（（Ｉｉ−Ｉｉ−１）／Ｉｉ−１）は、検出電流値を取得するインターバルに対応した時間内に検出電流値が低下した割合を表しており、実質的に検出電流値の低下の急激度合、即ち、スマートフォン３０に対する給電量の低下の急激度合を表し得る。
【００２７】
前記検出電流値の低下する割合（（Ｉｉ−Ｉｉ−１）／Ｉｉ−１）が基準値Ａ％以下の状況、（Ｓ１５でＮＯ）では、処理ユニット１１は、検出電流値Ｉｉの取得（Ｓ１３）、動作しているタイマＴの確認（Ｓ１４でＹＥＳ）及び検出電流値の低下する変化の割合（（Ｉｉ−Ｉｉ−１）／Ｉｉ−１）が基準値（Ａ％）以下であることの確認（Ｓ１５でＮＯ）を所定のインターバルにて繰り返し実行する。
【００２８】
なお、処理ユニット１１は、給電開始（Ｓ１３）の直後においては、前回取得した検出電流値Ｉｉ−１が存在しないので、例えば、取得された検出電流値Ｉｉと同じ値の電流値Ｉｉが前回取得した電流検出値Ｉｉ−１として用いられる。この場合、前記検出電流値の低下する割合（（Ｉｉ−Ｉｉ−１）／Ｉｉ−１）が基準値Ａ％以下（＝０）であると判定される（Ｓ１５）。
【００２９】
例えば、給電回路２１からの給電により、スマートフォン３０において充電制限機能によってバッテリ充電が制限されることなく正常になされている状況では、スマートフォン３０のバッテリの蓄電量が増大することに伴って、例えば、図３に示す特性Ｑ１のように、給電量（検出電流値Ｉ）が徐々に低下する。この場合、前述したように検出電流値の低下する割合（（Ｉｉ−Ｉｉ−１）／Ｉｉ−１）が基準値Ａ％以下の状況（Ｓ１５でＮＯ）である（急激に低下しない）ので、処理ユニット１１は、スマートフォン３０においてバッテリ充電が制限されていないものとして、スマートフォン３０に対する給電を維持しつつ、前述した処理（Ｓ１３、Ｓ１４、Ｓ１５）を繰り返し実行する。
【００３０】
ところで、スマートフォン３０において充電制限機能によってバッテリ充電が制限されると、給電回路２１からスマートフォン３０に対する給電量が急激に低下する。このような状況を考慮して、上述した処理（Ｓ１３〜Ｓ１５）の過程で、検出電流値の低下する割合（（Ｉｉ−Ｉｉ−１）／Ｉｉ−１）が基準値Ａ％より大きくなると（Ｓ１５でＹＥＳ）、即ち、検出電流値Ｉｉが急激に低下すると、処理ユニット１１は、タイマＴをスタートさせ（Ｓ１６）、そのタイマＴが所定時間Ｔｏ（例えば、１０秒）に達したか否かを判定する（Ｓ１７）。タイマＴが所定時間Ｔｏに達していない場合（Ｓ１７でＮＯ）では、処理ユニット１１は、検出電流値Ｉｉを取得し（Ｓ１３）、タイマＴがゼロでないことを確認した後（Ｓ１４でＮＯ）、図２Ｂに示す手順に従った処理を実行する。
【００３１】
図２Ｂにおいて、タイマＴがゼロでないことを確認した処理ユニット１１は、今回取得した検出電流値Ｉｉと前回取得した検出電流値Ｉｉ−１とを用いて、その検出電流値の上昇する変化の割合（（Ｉｉ−Ｉｉ−１）／Ｉｉ−１）が所定の基準値Ｂ％（Ａ％と同じであっても、異なってもよい）より大きいか否かを判定する（Ｓ１８）。この検出電流値の上昇する変化の割合（（Ｉｉ−Ｉｉ−１）／Ｉｉ−１）は、検出電流値を取得するインターバルに対応した時間内に検出電流値が上昇した割合を表しており、実質的に検出電流値の上昇の急激度合を表し得る。前記検出電流値の上昇する変化の割合（（Ｉｉ−Ｉｉ−１）／Ｉｉ−１）が所定値Ｂ％より大きくならずに、前述した検出電流値の低下後の給電状態が維持されていると判定されると（Ｓ１８でＮＯ）、処理ユニット１１は、図２Ａのステップ１７において、タイマＴが所定時間Ｔｏに達したか否かを判定する（Ｓ１７）。そして、タイマＴが前記所定時間Ｔｏに達していない状況において、処理ユニット１１は、検出電流値Ｉｉの取得（Ｓ１３）、動作しているタイマＴの確認（Ｓ１４でＮＯ）、検出電流値の上昇する変化の割合（（Ｉｉ−Ｉｉ−１）／Ｉｉ−１）が基準値Ｂ％以下であることの確認（Ｓ１８でＮＯ）、及びタイマＴが所定時間Ｔｏに達していないことの確認（Ｓ１７でＮＯ）を所定のインターバルにて繰り返し実行する。
【００３２】
スマートフォン３０では、瞬時的な温度上昇や瞬時的な処理負荷の上昇等に起因して、充電制限機能により瞬時的にバッテリ充電が制限される場合がある。このような場合、例えば、図４に示す特性Ｑ２のように、バッテリの蓄電量が増大することに伴って、給電量（検出電流値Ｉ）が徐々に低下する過程で、給電量（検出電流値Ｉ）が急激に低下し（例えば、時刻ｔ１参照）、その後短い時間経過後に給電量（検出電流値Ｉ）が急激に上昇（復帰）する（例えば、時刻ｔ２参照）ことが、繰り返しなされ得る。
【００３３】
このように（図４参照）、給電量（検出電流値Ｉ）が急激に低下し、その後短い時間（前記所定時間Ｔｏより短い時間）経過後に給電量（検出電流値Ｉ）が急激に上昇（復帰）する場合、上述した処理（Ｓ１３、Ｓ１４でＮＯ、Ｓ１８でＮＯ、Ｓ１７でＮＯ）の過程で、タイマＴが所定時間Ｔｏに達する前に、前記検出電流値の上昇する変化の割合（（Ｉｉ−Ｉｉ−１）／Ｉｉ−１）が所定値Ｂ％より大きくなる（Ｓ１８でＹＥＳ）。すると、処理ユニット１１は、タイマＴをリセット（Ｔ＝０）し（図２ＢにおけるＳ１９）、その後、前述した充電が正常になされている状況での処理（Ｓ１３、Ｓ１４でＹＥＳ、Ｓ１５でＮＯ）を所定のインターバルにて繰り返し実行する。
【００３４】
前述したように、例えば、図４に示す特性Ｑ２のように、バッテリの蓄電量が増大することに伴って、給電量（検出電流値Ｉ）が徐々に低下する過程で、給電量（検出電流値Ｉ）が急激に低下し、その後短い時間（所定時間Ｔｏより短い時間）経過後に給電量（検出電流値Ｉ）が急激に上昇（復帰）することが、繰り返しなされる状況では、前述した充電が正常になされている状況での処理（Ｓ１３、Ｓ１４でＹＥＳ、Ｓ１５でＮＯ）と、給電量が急激に低下した状況での処理（Ｓ１３、Ｓ１４でＮＯ、Ｓ１８でＮＯ、Ｓ１７でＮＯ）とが、交互に実行される。なお、給電量が急激に低下した状況での処理から充電が正常になされている状況での処理に切り換わるときに、タイマＴがリセットされる（Ｓ１９）。
【００３５】
そして、前述した充電が正常になされる状況での処理（Ｓ１３、Ｓ１４でＹＥＳ、Ｓ１５でＮＯ）の過程で、検出電流値の低下する割合（（Ｉｉ−Ｉｉ−１）／Ｉｉ−１）が基準値Ａ％より大きくなり（Ｓ１５でＹＥＳ）、その後、検出電流値の上昇する変化の割合（（Ｉｉ−Ｉｉ−１）／Ｉｉ−１）が所定値Ｂ％より大きくならずに、前記検出電流値の低下後の給電状態が所定時間Ｔｏ維持されると（Ｓ１６、Ｓ１７、Ｓ１３、Ｓ１４、Ｓ１８、Ｓ１７でＹＥＳ）、処理ユニット１１は、スマートフォン３０が、充電制限機能によってバッテリ充電が制限された状態であると判定する。従って、例えば、図５に示す特性Ｑ３のように、バッテリの蓄電量が増大することに伴って、給電量（検出電流値Ｉ）が徐々に低下する過程で、給電量（検出電流値Ｉ）が急激に低下し（例えば、時刻ｔ１参照）、その後給電量（検出電流値Ｉ）が急激に上昇（復帰）することなく、所定時間Ｔｏ、前記検出電流値の上昇する変化の割合（（Ｉｉ−Ｉｉ−１）／Ｉｉ−１）が所定値Ｂ％より大きくならずに、前記検出電流値の低下後の給電状態が維持されると、その時点（時刻ｔｘ）で、処理ユニット１１は、スマートフォン３０が、充電制限機能によってバッテリ充電が制限された状態であると判定する。
【００３６】
また、給電量が急激に低下した状況での処理（Ｓ１３、Ｓ１４でＮＯ、Ｓ１８でＮＯ、Ｓ１７でＮＯ）の過程で、給電量が急激に低下し、その低下後の給電状が所定時間Ｔｏ維持された（Ｓ１８でＮＯ、Ｓ１７でＹＥＳ）場合においても、処理ユニット１１は、前述したのと同様に、スマートフォン３０が、充電制限機能によってバッテリ充電が制限された状態であると判定する。
【００３７】
処理ユニット１１は、上記のようにして、スマートフォン３０が、充電制限機能によってバッテリ充電が制限された状態であると判定すると（Ｓ１７でＹＥＳ）、処理ユニット１１は、例えば、図６に示すように、表示部１３に、スマートフォン３０に対する給電が停止している旨を表すメッセージＭ（画像情報：警報情報）を表示させる（Ｓ２０：表示制御手段）。また、処理ユニット１１は、コネクタ１９を介して負荷低下要求信号をスマートフォン３０に送信する（Ｓ２１）。その後、処理ユニット１１は、給電回路２１にスマートフォン３０に対する給電を停止させる（Ｓ２２）。
【００３８】
処理ユニット１１は、スマートフォン３０に対する給電を停止させた（Ｓ２２）後、所定時間経過後に、図２Ａ及び図２Ｂに示す処理を再開させる。これにより、スマートフォン３０での充電制限機能によるバッテリ充電の制限の状況に応じて、効率的にスマートフォン３０に対する給電を常時行うことができる。
【００３９】
なお、前述した図２Ａ及び図２Ｂに示すステップＳ１３〜Ｓ１９に示す処理に対応する処理ユニット１１の機能が、機器（スマートフォン３０）に対する給電状態に基づいて前記機器（スマートフォン）が充電制限機能によりバッテリに対する充電が制限された状態であるか否かを判定する充電制限状態判定手段に対応する。
【００４０】
上述したような給電装置を備えた車載機器１００では、スマートフォン３０に対してバッテリ充電のための給電がなされる際に、検出電流値の変化状態（（Ｉｉ−Ｉｉ−１）／Ｉｉ−１：給電状態）に基づいてスマートフォン３０が充電制限機能によりバッテリに対する充電が制限された状態であると判定されると、表示部１３に、スマートフォン３０に対する給電が停止している旨を表すメッセージＭ（図６参照）が表示されるので、そのメッセージＭにより、利用者は、スマートフォン３０においてバッテリへの充電が制限されていることを知ることができる。そのメッセージＭを見た利用者は、スマートフォン３０で動作中のアプリケーションの数を減らす、あるいは、スマートフォン３０を車室内のできるだけ日当たりの良くない場所や、エアコンからの冷気が当たる場所に移す等により、スマートフォン３０の充電制限機能が働かないようにする対策をとることができる。これにより、例えば、車室内の気温によってスマートフォン３０の温度が上昇し、その温度状況に応じてスマートフォン３０のバッテリの充電が制限されたことにより、目的地に到着して、スマートフォン３０を単独で利用する際に、バッテリの蓄電量が低下した状態になっているという状況を未然に防止することができる。
【００４１】
また、処理ユニット１１は、スマートフォン３０が充電制限機能によりバッテリに対する充電が制限された状態であると判定すると、スマートフォン３０に対して負荷低下要求信号を送信する（Ｓ２１参照）ので、スマートフォン３０は、その負荷低下要求信号に従って、動作するアプリケーションの数を減らす、バックライトの明るさを低下させる等、負荷を低減させる処理を行うことができる。
【００４２】
なお、機器（スマートフォン３０）が充電制限機能によりバッテリに対する充電が制限された状態であるか否かを判定するアルゴリズムは、図２Ａ及び図２Ｂに示すステップＳ１３〜Ｓ１９に示す処理に限られず、機器（スマートフォン３０）に対する給電状態に基づいて判定するものであればどのようなアルゴリズムであってもよい。
【００４３】
また、スマートフォン３０が充電制限機能によりバッテリに対する充電が制限された状態であると判定されたときに、出力すべき報知情報は、表示部１３に表示させるメッセージＭ（画像情報）やスマートフォン３０に送信する負荷低減要求信号に限定されず、例えば、警報音であっても、ランプの点灯や点滅であってもよい。
【００４４】
また、本発明に係る給電装置は、上述したように車載機器１００に搭載されたものに限定されず、特に他の機器に搭載されるものでなくても（単独の給電装置であっても）、また、他の機器に搭載されるものであってもよい。
【産業上の利用可能性】
【００４５】
本発明に係る給電装置及び車載機器は、携帯端末機器等の機器の充電制限機能によってバッテリへの充電が制限されていることを利用者に知らせることができるという効果を有し、充電可能なバッテリを備え、温度状況や動作状況等の所定の状況に応じて前記バッテリに対する充電を制限する充電制限機能を有する機器に対して前記バッテリ充電のための給電を行う給電装置、及び、該給電装置を備えた車載機器として有用である。
【符号の説明】
【００４６】
１１  処理ユニット
１２  操作部
１３  表示部
１４  記憶部
１５  出力回路
１６  スピーカ
１７  ＡＶユニット
１８  ナビゲーションユニット
１９  コネクタ
２１  給電回路
２２  電流検出回路
１００  車載機器
【図１】
2014143837.tif 000003
【図２Ａ】
2014143837.tif 000004
【図２Ｂ】
2014143837.tif 000005
【図３】
2014143837.tif 000006
【図４】
2014143837.tif 000007
【図５】
2014143837.tif 000008
【図６】
2014143837.tif 000009